【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
反射性材料から形成されたコア層；
前記コア層にわたって延在する第１層であって、第１の吸収材料又は第１の誘電材料から形成された厚さ約５ｎｍ〜約５００ｎｍの第１層；
前記第１層にわたって延在する第２層であって、前記第１の吸収材料とは異なる第２の吸収材料から形成された厚さ約５ｎｍ〜約５０ｎｍの第２層；及び
前記第２層にわたって延在する第３層であって、第３の吸収材料又は第２の誘電材料から形成され、前記第３の吸収材料は前記第２の吸収材料と異なる、厚さ約５ｎｍ〜約５００ｎｍの第３層；
を含む顔料であって、
前記顔料は、０°と４５°の間と０°及び４５°とを含む可視電磁線の全ての入射角で、入射可視電磁線の１０％未満を反射し、
前記顔料は、０°と４５°の間と０°及び４５°とを含む可視電磁線の全ての入射角で、８５０ｎｍと９５０ｎｍの間と８５０ｎｍ及び９５０ｎｍとを含む波長を有する入射近ＩＲ電磁線の６０％超を反射する、
顔料。
【請求項２】
前記第１層が前記第１の吸収材料から形成されており、前記第１の吸収材料が選択的吸収材料を含む、請求項１に記載の顔料。
【請求項３】
前記選択的吸収材料が、Ｆｅ２Ｏ３、ＴｉＮ、Ｃｕ及び黄銅のうちの少なくとも１種である、請求項２に記載の顔料。
【請求項４】
前記第１層が前記第１の誘電材料から形成されており、前記第１の誘電材料がＺｎＳ、ＭｇＦ２及びＴｉＯ２のうちの少なくとも１種を含む、請求項１に記載の顔料。
【請求項５】
前記第２の吸収材料が、Ｃｒ、Ｇｅ、Ｎｉ、ステンレス鋼、Ｐｄ、Ｔｉ、Ｓｉ、Ｖ、Ｃｏ、Ｗ、Ｍｏ、Ｎｂ、及びそれらの合金のうちの少なくとも１種を含む非選択的吸収材料である、請求項１に記載の顔料。
【請求項６】
前記第３層が前記第３の吸収材料から形成されており、前記第３の吸収材料が選択的吸収材料を含む、請求項１に記載の顔料。
【請求項７】
前記選択的吸収材料が、Ｆｅ２Ｏ３、ＴｉＮ、Ｃｕ及び黄銅のうちの少なくとも１種である、請求項６に記載の顔料。
【請求項８】
前記第３層が前記第２の誘電材料から形成されている、請求項１に記載の顔料。
【請求項９】
前記第２の誘電材料が、ＺｎＳ、ＭｇＦ２及びＴｉＯ２のうちの少なくとも１種である、請求項８に記載の顔料。
【請求項１０】
前記反射性材料がＡｌ又はその合金のうちの少なくとも１種であり、
前記第１層が前記第１の誘電材料から形成されており、前記第１の誘電材料がＺｎＳを含み、
前記第２の吸収材料がＣｒ又はその合金であり、
前記第３層が前記第３の吸収材料から形成されており、前記第３の吸収材料がＦｅ２Ｏ３を含む、
請求項１に記載の顔料。
【請求項１１】
前記反射性材料がＡｌ又はその合金のうちの少なくとも１種であり、
前記第１層が前記第１の誘電材料から形成されており、前記第１の誘電材料がＺｎＳを含み、
前記第２の吸収材料がＣｒ又はその合金であり、
前記第３層が前記第２の誘電材料から形成されており、前記第２の誘電材料がＺｎＳを含む、
請求項１に記載の顔料。
【請求項１２】
前記反射性材料がＡｌ又はその合金のうちの少なくとも１種であり、
前記第１層が前記第１の吸収材料から形成されており、前記第１の吸収材料がＦｅ２Ｏ３を含み、
前記第２の吸収材料がＣｒ又はその合金であり、
前記第３層が前記第３の吸収材料から形成されており、前記第３の吸収材料がＦｅ２Ｏ３を含む、
請求項１に記載の顔料。
【請求項１３】
前記反射性材料がＡｌ又はその合金のうちの少なくとも１種であり、
前記第１層が前記第１の吸収材料から形成されており、前記第１の吸収材料がＦｅ２Ｏ３を含み、
前記第２の吸収材料がＣｒ又はその合金であり、
前記第３層が前記第２の誘電材料から形成されており、前記第２の誘電材料がＺｎＳを含む、
請求項１に記載の顔料。
【請求項１４】
塗料バインダーと、
前記塗料バインダー中に配置されていて、光検出及び測距用（ＬｉＤＡＲ）反射性暗色塗料を形成しているＬｉＤＡＲ反射性暗色顔料、
を含む塗料であって、
前記ＬｉＤＡＲ反射性暗色顔料が、
反射性材料から形成されたコア層；
前記コア層にわたって延在する第１層であって、第１の吸収材料又は第１の誘電材料から形成された厚さ約５ｎｍ〜約５００ｎｍの第１層；
前記第１層にわたって延在する第２層であって、前記第１の吸収材料とは異なる第２の吸収材料から形成された厚さ約５ｎｍ〜約５０ｎｍの第２層；及び
前記第２層にわたって延在する第３層であって、第３の吸収材料又は第２の誘電材料から形成され、前記第３の吸収材料は前記第２の吸収材料と異なる、厚さ約５ｎｍ〜約５００ｎｍの第３層；
を含み、
前記ＬｉＤＡＲ反射性暗色塗料は、０°と４５°の間と０°及び４５°とを含む可視電磁線の全ての入射角で、入射可視電磁線の１０％未満を反射し、
前記ＬｉＤＡＲ反射性暗色塗料は、０°と４５°の間と０°及び４５°とを含む可視電磁線の全ての入射角で、８５０ｎｍと９５０ｎｍの間と８５０ｎｍ及び９５０ｎｍとを含む波長を有する入射近ＩＲ電磁線の６０％超を反射し、
前記ＬｉＤＡＲ反射性暗色塗料は、４０以下のＣＩＥＬＡＢ色空間での明度を有する色を有する、塗料。
【請求項１５】
前記第１の吸収材料が、Ｆｅ２Ｏ３、ＴｉＮ、Ｃｕ及び黄銅のうちの少なくとも１種を含む選択的吸収材料であり、前記第１の誘電材料がＺｎＳ、ＭｇＦ２及びＴｉＯ２のうちの少なくとも１種を含む、請求項１４に記載の塗料。
【請求項１６】
前記第２の吸収材料が、Ｃｒ、Ｇｅ、Ｎｉ、ステンレス鋼、Ｐｄ、Ｔｉ、Ｓｉ、Ｖ、Ｃｏ、Ｗ、Ｍｏ、Ｎｂ、及びそれらの合金のうちの少なくとも１種から選択された非選択的吸収材料である、請求項１４に記載の塗料。
【請求項１７】
前記第３の吸収材料が、Ｆｅ２Ｏ３、ＴｉＮ、Ｃｕ及び黄銅のうちの少なくとも１種を含む選択的吸収材料であり、前記第２の誘電材料がＺｎＳ、ＭｇＦ２及びＴｉＯ２のうちの少なくとも１種を含む、請求項１４に記載の塗料。
【請求項１８】
光検出及び測距用（ＬｉＤＡＲ）反射性暗色塗料でコーティングされたボディパネルを備えたビークルであって、前記ＬｉＤＡＲ反射性暗色塗料が、
塗料バインダーと、
前記塗料バインダー中に配置されたＬｉＤＡＲ反射性暗色顔料、
を含み、
前記ＬｉＤＡＲ反射性暗色顔料が、
反射性材料から形成されたコア層；
前記コア層にわたって延在する第１層であって、第１の吸収材料又は第１の誘電材料から形成された厚さ約５ｎｍ〜約５００ｎｍの第１層；
前記第１層にわたって延在する第２層であって、前記第１の吸収材料とは異なる第２の吸収材料から形成された厚さ約５ｎｍ〜約５０ｎｍの第２層；及び
前記第２層にわたって延在する第３層であって、第３の吸収材料又は第２の誘電材料から形成され、前記第３の吸収材料は前記第２の吸収材料と異なる、厚さ約５ｎｍ〜約５００ｎｍの第３層；
を含み、
前記ＬｉＤＡＲ反射性暗色塗料は、０°と４５°の間と０°及び４５°とを含む可視電磁線の全ての入射角で、入射可視電磁線の１０％未満を反射し、
前記ＬｉＤＡＲ反射性暗色塗料は、０°と４５°の間と０°及び４５°とを含む可視電磁線の全ての入射角で、８５０ｎｍと９５０ｎｍの間と８５０ｎｍ及び９５０ｎｍとを含む波長を有する入射近ＩＲ電磁線の６０％超を反射し、
前記ＬｉＤＡＲ反射性暗色塗料は、４０以下のＣＩＥＬＡＢ色空間での明度を有する色を有し、
前記ビークルはＬｉＤＡＲにより検出することが可能である、
ビークル。
【請求項１９】
前記第１の吸収材料が、Ｆｅ２Ｏ３、ＴｉＮ、Ｃｕ及び黄銅のうちの少なくとも１種を含む選択的吸収材料であり、
前記第１の誘電材料がＺｎＳ、ＭｇＦ２及びＴｉＯ２のうちの少なくとも１種から選択されたものであり、
前記第２の吸収材料が、Ｃｒ、Ｇｅ、Ｎｉ、ステンレス鋼、Ｐｄ、Ｔｉ、Ｓｉ、Ｖ、Ｃｏ、Ｗ、Ｍｏ、Ｎｂ、及びそれらの合金のうちの少なくとも１種を含む非選択的吸収材料であり、
前記第３の吸収材料が、Ｆｅ２Ｏ３、ＴｉＮ、Ｃｕ及び黄銅のうちの少なくとも１種を含む選択的吸収材料であり、
前記第２の誘電材料が、ＺｎＳ、ＭｇＦ２及びＴｉＯ２のうちの少なくとも１種から選択されたものである、
請求項１８に記載のビークル。
【請求項２０】
第１の目標波長についてゼロパーセント電場が存在するように前記第１層と前記第２層の間の界面が位置決めされているか、又は、第２の目標波長についてゼロパーセント電場が存在するように前記第２の層と前記第３の層の間の界面が位置決めされている、請求項１に記載の顔料。